(57)【特許請求の範囲】
【請求項１】
縦框と横框とカバーと裏板を備え、裏板は縦框内に配置してあり、縦框と裏板とに縦横框を連結するねじを挿通するための孔を複数有し、縦框は、戸先面に切り欠きが設けてあり、カバーは、縦框の戸先面の切り欠き内に配置され、縦框と裏板の複数の孔を隠しており、裏板にねじ止めしてあることを特徴とする建具。
【請求項２】
縦框と横框とカバーを備え、縦框に縦横框を連結するねじを挿通するための孔を複数有し、カバーは、縦框の外周側見込面に配置してねじ止めされ、縦框の複数の孔を隠すと共に、障子の振れ止めを兼ねていることを特徴とする建具。
【発明の詳細な説明】
【技術分野】
【０００１】
本発明は、建物の開口部に設けられる建具に関する。
【背景技術】
【０００２】
建具の障子は、縦框に開けた孔から挿入したねじを横框のタッピングホールに捩じ込むことで、縦框と横框を連結している。さらに縦框には、戸車の調整をするための孔も設けられる。従来、縦框のそれらの孔は、一つ一つにホールプレートを装着して塞いでいる。このホールプレートは脱落しやすく、また手で簡単に外せるため子供にいたずらされやすかった。
【発明の概要】
【発明が解決しようとする課題】
【０００３】
本発明は以上に述べた実情に鑑み、縦框に開けられる孔を塞ぐためのカバーが脱落したり、いたずらされるのを防止できる建具の提供を目的とする。
【課題を解決するための手段】
【０００４】
上記の課題を達成するために請求項１記載の発明による建具は、縦框と横框とカバーと裏板を備え、裏板は縦框内に配置してあり、縦框と裏板とに縦横框を連結するねじを挿通するための孔を複数有し、縦框は、戸先面に切り欠きが設けてあり、カバーは、縦框の戸先面の切り欠き内に配置され、縦框と裏板の複数の孔を隠しており、裏板にねじ止めしてあることを特徴とする。
【０００５】
請求項２記載の発明による建具は、縦框と横框とカバーを備え、縦框に縦横框を連結するねじを挿通するための孔を複数有し、カバーは、縦框の外周側見込面に配置してねじ止めされ、縦框の複数の孔を隠すと共に、障子の振れ止めを兼ねていることを特徴とする。
【発明の効果】
【０００６】
請求項１記載の発明による建具は、カバーで縦框と裏板の複数の孔を隠し、カバーを裏板にねじ止めしてあるので、カバーが脱落したり、いたずらされるのを防止できる。縦框内に裏板を配置し、縦框の戸先面に切り欠きを設け、カバーをその切り欠き内に配置して裏板にねじ止めすることで、カバーを縦框の戸先面から飛び出さないようにできる。
【０００７】
請求項２記載の発明による建具は、カバーを縦框の外周側見込面に配置してねじ止めし、そのカバーにより縦框の複数の孔を隠したので、カバーが脱落したり、いたずらされるのを防止できる。さらにカバーは、障子の振れ止めを兼ねているので、振れ止め部品を別途設ける必要がない。
【図面の簡単な説明】
【０００８】
【図１】本発明の建具の一実施形態を示す横断面図である。
【図２】（ａ）は図１のＸ方向から見た同建具の室外側正面図、（ｂ）は図１のＹ方向から見た同建具の室外側正面図である。
【図３】図１のＡ−Ａ断面図である。
【図４】図１のＢ−Ｂ断面図である。
【図５】図１のＺ方向矢視図である。
【図６】上框と戸先框の接合部を示す図であって、（ａ）は平面図、（ｂ）は外周側側面図、（ｃ）は一部切り欠き正面図、（ｄ）は内周側側面図である。
【図７】上框と戸先框との接合手順を示す斜視図である。
【図８】下框と戸先框の接合部を示す図であって、（ａ）は平面図、（ｂ）は外周側側面図、（ｃ）は一部切り欠き正面図、（ｄ）は内周側側面図である。
【図９】下框と戸先框との接合手順を示す斜視図である。
【図１０】可動障子として非隠し框タイプの障子を設置した場合を示す縦断面図である。
【発明を実施するための形態】
【０００９】
以下、本発明の実施の形態を図面に基づいて説明する。図１〜５は、本発明の建具の一実施形態を示している。この建具は、建物の交差する二方向の壁にまたがって形成された開口部に設置されるコーナーサッシであり、図１，２に示すように、開口部の縁に固定される枠１と、枠１内の一方の壁側と他方の壁側にそれぞれ設けた固定障子２ａ，２ｂと可動障子３ａ，３ｂとを備える。固定障子２ａ，２ｂは、枠１内の室内寄りで且つ両端の縦枠１５，１５に沿うように配置され、可動障子３ａ，３ｂは、枠１内の室外寄りを上下枠４，５に沿って摺動可能に設けられ、閉鎖状態では図１に示すように、一方の可動障子３ａの見付面（室内側面）に他方の可動障子３ｂの見込面が当接する。両可動障子３ａ，３ｂを開けると、コーナー部に柱等が全くない状態ですっきりと開放できるものである。
【００１０】
枠１は、図１，２に示すように、一方の壁側と他方の壁側とに上枠４と下枠５と一つの縦枠１５とをコ字形に枠組みした三方枠を配置し、各三方枠の上枠４及び下枠５の自由端部を斜めに切断して突き合わせ、連続させてある。上下枠４，５の長手方向中間部には、室内側寄りの位置に縦骨６が架設してあり、上下枠４，５と縦骨６と縦枠１５との間の開口部にパネル７（複層ガラス）を嵌め込んで固定障子２ａ，２ｂが構成されている。上枠４、下枠５、縦枠１５及び縦骨６は、図１，４に示すように、室内側端部に室内側パネル支持片１６ａ，１６ｂ，１６ｃ，１６ｄをそれぞれ有しており、内周側面に押縁取付用のフィン８ａ，８ｂ，８ｃ，８ｄ，８ｅ，８ｆ，８ｇ，８ｈを有し、フィン８ａ，８ｂ，８ｃ，８ｄ，８ｅ，８ｆ，８ｇ，８ｈに係合して押縁９ａ，９ｂ，９ｃ，９ｄが取付けてある。パネル７は、室内側パネル支持片１６ａ，１６ｂ，１６ｃ，１６ｄと押縁９ａ，９ｂ，９ｃ，９ｄとの間に、シール材１７を介して固定してある。
【００１１】
上下枠４，５の縦骨６よりもサッシ中央側で、閉鎖した可動障子３ａ，３ｂの室内側に面する部分には、図１，３に示すように、横枠補助材１０，１１が上下枠の長手方向に沿って取付けてある。
上枠４の横枠補助材１０は、図３に示すように、室内外方向に仕切られた中空部を有する中空形材となっており、内周側の壁１０ａは上枠４の室内側パネル保持片１６ａの下縁と同面になっている。内周側の壁１０ａは室外側に延長して突片１３が形成され、突片１３の先端部１３ａは可動障子３ａ，３ｂの室内側面に２〜３ｍｍ程度の間隔をあけて近接している。突片１３の先端部１３ａは、上向きに曲がった形になっている。上枠４の横枠補助材１０は、上枠４の押縁９ａ取付用の２つのフィン８ａ，８ｂのうちの室外側のフィン８ａの室外側に形成された突部１８と、上枠４の室内側パネル保持片１６ａに形成された段部１９とに係合して取付けてあって、室外側の係合部と上枠４の内周側面との間にはパッキン２０が取付けてある。また上枠４の横枠補助材１０は、外周側の室外側端部にタイト材ホルダー２１が設けてあり、タイト材ホルダー２１に可動障子３ａ，３ｂの室内側面に当接するタイト材１２が取付けてある。
横枠補助材１０よりも室外側の上枠４の内周側見込面には、可動障子３ａ，３ｂの上部を案内するレール２２が着脱自在に取付けてある。レール２２は、鉤型の係合部２３を上枠４と係合させた上で、内周側からねじ２４で固定してある。
【００１２】
下枠５の横枠補助材１１は、図３に示すように、下枠５の押縁９ｂ取付用のフィン８ｃ，８ｄと室内側パネル保持片１６ｂに形成された段部１９とに係合して取付けてあって、室内側の係合部と室内側パネル保持片１６ｂとの間にパッキン２０が取付けてある。下枠５の横枠補助材１１の内周側の壁１１ａは、室内側パネル保持片１６ｂの上縁より５ｍｍ程度低い位置にあり、その壁１１ａを室外側に延長して突片１４が形成してある。突片１４の先端部１４ａは、可動障子３ａ，３ｂの室内側面に２〜３ｍｍ程度の間隔をあけて近接している。横枠補助材１１の突片１４から外周側に離間した位置にはタイト材ホルダー２１が設けてあり、タイト材ホルダー２１に可動障子３ａ，３ｂの室内側面に当接するタイト材１２が取付けてある。
下枠５は、上面が室外側から室内側に向かって段々に高くなるように階段状に形成されており、室外側の最も低い位置と、そこから室内側に離間した一段高い位置とに、可動障子３ａ，３ｂの下部を案内するためのレール２５ａ，２５ｂが２本段違い状に形成してある。本実施形態では、室外側の背が低い方のレール２５ａに可動障子３ａ，３ｂを案内している。
【００１３】
このように本建具は、固定障子２ａ，２ｂのパネル７が上下枠４，５のフィン８ａ，８ｂ，８ｃ，８ｄに押縁９ａ，９ｂを係合させて取付けてあり、上下枠４，５の縦骨６よりもサッシ中央側には、横枠補助材１０，１１が上下枠４，５のフィン８ａ，８ｃ，８ｄに係合させて取付けてあり、横枠補助材１０，１１に可動障子３ａ，３ｂに当接するタイト材１２が設けてあるので、上下枠４，５の可動障子３ａ，３ｂ側においてフィン８ａ，８ｂ，８ｃ，８ｄが横枠補助材１０，１１で隠れ、且つ上下枠４，５の固定障子２ａ，２ｂ側において不必要なタイト材ホルダー２１が形成されないので、意匠性が良い。横枠補助材１０，１１は、内周側の壁１０ａ，１１ａがフラットで、且つ上下枠４，５の室内側パネル保持片１６ａ，１６ｂの内周側縁と略同面となっているため、上下枠４，５に段差や突起等が無く、すっきりした意匠になる。横枠補助材１０，１１は、閉鎖した可動障子３ａ，３ｂの室内側のみに設けられ、固定障子２ａ，２ｂの室内側には横枠補助材１０，１１を有しないので、横枠補助材１０，１１の加工や取付けが容易であり、またサッシの見込寸法を極力小さくできる。さらに、横枠補助材１０，１１は内周側端部に室外向きの突片１３，１４を有し、タイト材１２は突片１３，１４から外周側に離間した位置に設けてあることで、室内側に水が入りにくいと共に、タイト材１２が突片１３，１４で隠れるため意匠性が向上する。
【００１４】
一方の壁側の可動障子３ａは、図１〜３に示すように、上框２６と下框２７と戸先框２８と召合せ框２９とを四周框組みし、その内側にパネル３０（複層ガラス）を嵌め込んで構成してある。可動障子３ａは、室内側から見ると、上框２６と下框２７と召合せ框２９が上枠４と下枠５と縦骨６に隠れて見えず、戸先框２８は他方の壁側の可動障子３ｂに隠れて見えず、いわゆる隠し框タイプの障子になっている。戸先框２８は、図１に示すように、中空部３１とパネル呑み込み溝３２とを有する形材であり、戸先面２８ａと室外側面２８ｂと室内側面２８ｃとがフラットに形成されている。
【００１５】
戸先框２８の上部を上框２６と連結するため、図６，７に示すように、戸先框２８の上部の中空部３１内には矩形中空断面の裏板３３ａを上端の小口より挿入し、内周側からねじ３４で固定してある。戸先框２８は、戸先面２８ａの上部に切り欠き３５が形成してあると共に、戸先框２８と上框２６を連結するねじ３６を挿通するための孔３７が２箇所に設けてある。裏板３３ａの上部にも、戸先框２８と上框２６を連結するねじ３６を挿通するための孔３７が２箇所に設けてある。さらに裏板３３ａには、カバー３８をねじ止めするための雌ねじ孔３９が２箇所に設けてある。戸先框２８の切り欠き３５内には樹脂製のカバー３８が配置され、裏板３３ａにねじ４０で固定してあり、戸先框２８と上框２６を連結するねじ３６を挿通するための複数の孔３７をカバー３８で隠している（図５参照）。カバー３８の外側面３８ａは、戸先框２８の戸先面２８ａと面一になっている。カバー３８は、障子の振れ止めを兼ねるものであって、上枠４のレール２２と摺接する溝状のガイド部４１を一体に有している。
戸先框２８を上框２６と連結する際の手順は、まず図７（ａ）に示すように、戸先框２８の中空部３１内に裏板３３ａを取付け、次に図７（ｂ）に示すように、裏板３３ａと戸先框２８に開けておいた孔３７に挿入したねじ３６を上框２６のタッピングホールに捩じ込み、戸先框２８と上框２６とを連結する。その後、図７（ｃ）に示すように、戸先框２８の切り欠き３５にカバー３８を挿入し、裏板３３ａにねじ４０で固定する。
【００１６】
戸先框２８の下部を下框２７と連結するため、図８，９に示すように、戸先框２８の下部の中空部３１内には矩形中空断面の裏板３３ｂを下端の小口より挿入し、内周側からねじ３４で固定してある。戸先框２８は、戸先面２８ａの下部に切り欠き４２が形成してあると共に、戸先框２８と下框２７を連結するねじ４３を挿通するための孔４４が２つと、戸車４５の調整をするために工具を差し入れるための戸車調整用の孔４６とが設けてある。裏板３３ｂの下部にも、戸先框２８と下框２７を連結するねじ４３を挿通するための孔４４が２つと戸車調整用の孔４６が設けてある。さらに裏板３３ｂには、カバー４７をねじ止めするための雌ねじ孔３９が２箇所に設けてある。戸先框２８の切り欠き４２内には樹脂製のカバー４７が配置され、裏板３３ｂにねじ４０で固定してあり、戸先框２８と下框２７を連結するねじ４３を挿通するための２箇所の孔４４と戸車調整用の孔４６とをカバー４７で隠している（図５参照）。
戸先框２８を下框２７と連結する際の手順は、まず図９（ａ）に示すように、戸先框２８の中空部３１内に裏板３３ｂを取付け、次に図９（ｂ）に示すように、裏板３３ｂと戸先框２８に開けておいた孔４４に挿入したねじ４３を下框２７のタッピングホールに捩じ込み、戸先框２８と下框２７とを連結する。その後、図９（ｃ）に示すように、戸先框２８の切り欠き４２にカバー４７を挿入し、裏板３３ｂにねじ４０で固定する。
【００１７】
以上に述べたように、カバー３８，４７で戸先框２８と裏板３３ａ，３３ｂの複数の孔３７，４４，４６を隠し、カバー３８，４７を裏板３３ａ，３３ｂにねじ止めしてあるので、カバー３８，４７が脱落したり、いたずらされるのを防止できる。戸先框２８の中空部３１内に裏板３３ａ，３３ｂを配置し、戸先框２８の戸先面２８ａに切り欠き３５，４２を設け、カバー３８，４７をその切り欠き３５，４２内に配置して裏板３３ａ，３３ｂにねじ止めすることで、カバー３８，４７を戸先框２８の戸先面２８ａから飛び出さないようにできる。これにより、一方の壁側の可動障子３ａの戸先面２８ａ全体がフラットになり、図１に示すように、他方の壁側の可動障子３ｂの戸先框４８の室外側面と面一にできる。カバー３８，４７と裏板３３ａ，３３ｂは、戸先框２８の上下端部にそれぞれ配置されているので、高さの異なる障子に兼用できる。戸先框２８と裏板３３ｂに戸車調整用の孔４６が空けてあるので、下側のカバー４７を取外すだけで戸車４５の調整が行える。上側のカバー３８は、障子の振れ止めを兼ねているので、振れ止め部品を別途設ける必要がない。上枠のレール２２は着脱自在になっており、レール２２を脱着することで、可動障子３３ａ，３３ｂの脱着が可能である。
【００１８】
図１，４に示すように、召合せ框２９の外周側の見込面２９ａにも戸先側と同じカバー３８，４７が取付けてあり、召合せ框２９を上框２６及び下框２７と連結するねじ３６，４３を挿通するための孔３７，４４と戸車調整用の孔４６をカバー３８，４７で隠している。これらのカバー３８，４７は、召合せ框２９に裏板３３ａ，３３ｂや切り欠き３５，４２を設けることなく、召合せ框２９の外周側見込面２９ａに直接ねじ４０で取付けてあり、カバー３８，４７はその厚み分だけ召合せ框２９の外周側見込面２９ａから飛び出している。このようにカバー３８，４７を取付けた場合でも、カバー３８，４７が脱落したり、いたずらされるのを防止できる効果や、下側のカバー４７を外すだけで戸車４５の調整が行えるといった効果を奏する。また、上側のカバー３８は障子の振れ止めを兼ねており、振れ止め部品を別途設ける必要がない。
【００１９】
他方の壁側の可動障子３ｂは、図１に示すように、一方の壁側の可動障子３ａと同じように、上框２６と下框２７と戸先框４８と召合せ框２９とを四周框組みし、その内側にパネル３０（複層ガラス）を嵌め込んで構成してある。戸先框４８の戸先面４８ａの上部と下部、召合せ框２９の外周側見込面２９ａの上部と下部には、樹脂製のカバー３８，４７がそれぞれ取付けてあり、これらのカバー３８，４７により戸先框４８と召合せ框２９を上框２６及び下框２７と連結するためのねじ３６，４３を挿通するための孔３７，４４と、戸車調整用の孔４６を隠している。これらのカバー３８，４７は、戸先框４８と召合せ框２９に直接ねじ止めしてある。
【００２０】
図１に示すように、戸先框４８は戸先面４８ａに凹部４９が形成してあり、凹部４９の室外側の壁の先端部と凹部４９の室内側の壁の先端部とにタイト材５０ａ，５０ｂがそれぞれ取付けてあり、各タイト材５０ａ，５０ｂが一方の壁側の可動障子３ａの戸先框２８の室内側面２８ｃに当接している。室外側のタイト材５０ａは水密ラインを形成するものであり、室内側のタイト材５０ｂは気密ラインを形成するものである。凹部４９は、上端と下端の小口が外気と連通しており、したがって凹部４９内は外気と等圧になっている。このように、障子３ａ，３ｂ同士の突合せ部に凹部４９を形成し、凹部４９内を外気と等圧にすることで、障子３ａ，３ｂ同士の突合せ部からの雨水の浸入を防ぎ、障子３ａ，３ｂ間の水密性・気密性を確保できる。
また、他方の壁側の可動障子３ｂの戸先框４８には、図２（ａ）に示すように、室内側からサムターンを操作することで鎌５１が一方の壁側の可動障子３ａの戸先框２８に係脱する錠５２を備えている。両可動障子３ａ，３ｂを閉鎖し、錠５２をかけることで、両障子の戸先框２８，４８同士が一体化され、コーナー部に柱等がなくても、強度を確保できる。
【００２１】
図１０は、本発明の建具の他の実施形態を示している。この建具は、テラス窓等で可動障子３ａ，３ｂの上下寸法が大きく、重量も重いものになっており、下框２７は図３に示す隠し框タイプのものより見付寸法が大きく、下枠５よりも内周側にはみだしている。戸車４５は、図３のものよりも大型で、大荷重に耐えられるものになっており、下枠５の室内側の背の高い方のレール２５ｂに戸車４５を係合させている。
このように本建具は、下枠４にレール２５ａ，２５ｂを段違い状に２本設けることで、隠し框タイプの障子を建て込む場合と非隠し框タイプの障子を建て込む場合とで、下枠４を兼用することができる。なお、上枠４と縦枠１５と縦骨６も、隠し框タイプの障子を建て込む場合と非隠し框タイプの障子を建て込む場合とで兼用することができる。
【００２２】
本発明は以上に述べた実施形態に限定されない。実施形態は二つの壁にまたがって形成した開口部に設置されるコーナーサッシであったが、一つの壁の開口部に設置される通常のサッシであってもよい。また、片引きサッシに限らず、引違いサッシや上げ下げサッシ等、あらゆる窓種の障子に適用することができる。カバーの形状、材質等は、適宜変更することができる。
【符号の説明】
【００２３】
１  枠
２ａ，２ｂ  固定障子
３ａ，３ｂ  可動障子
４  上枠
５  下枠
６  縦骨
７  パネル
８ａ，８ｂ，８ｃ，８ｄ  フィン
９ａ，９ｂ  押縁
１０，１１  横枠補助材
１２  タイト材
１３，１４  突片
１５  縦枠
２６  上框（横框）
２７  下框（横框）
２８  戸先框（縦框）
２９  召合せ框（縦框）
３３ａ，３３ｂ  裏板
３５，４２  切り欠き
３７，４４  縦横框を連結するねじの挿通孔
４６  戸車調整用の孔
【図１】
0006469528.tif 000002
【図２】
0006469528.tif 000003
【図３】
0006469528.tif 000004
【図４】
0006469528.tif 000005
【図５】
0006469528.tif 000006
【図６】
0006469528.tif 000007
【図７】
0006469528.tif 000008
【図８】
0006469528.tif 000009
【図９】
0006469528.tif 000010
【図１０】
0006469528.tif 000011